(57)【要約】本発明は、植物種子ペレットにおいて、ピートモスに肥料・成長調節剤・殺菌剤・殺虫剤を混合して、植物種子が挿入され得る形態に成型・製造して乾燥した後、植物種子を挿入し圧着・密封して製造する、植物種子ペレットの製造法に関するもので、前記方法により製造された植物種子ペレットは、ペレット内の水分が除去されて種子の生理的反応を防止することにより、種子の発芽後の生育が著しく優れ、球根類にも利用可能であるだけでなく、土壌表面に播種後に覆土をしなくてもよいという優れた効果がある。
2006503576.tif 000002
【特許請求の範囲】
【請求項１】
植物種子ペレットの製造方法であって、ピートモスに、肥料、成長調節剤、殺菌剤、殺虫剤のうちから選択されたいずれか一つ以上を添加し、水溶性接着剤を添加して混合する段階；該混合物を種子が挿入され得る大きさと形態に圧着して成型製造する段階；該製造された圧着成型物を乾燥する段階；該乾燥物に植物種子の挿入口を穿孔し、植物種子を挿入した後、挿入口を圧着・密封して製造する段階を含むことを特徴とする方法。
【請求項２】
植物種子が、金盞花、サルビア、豆の種子のうちから選択されたいずれか一つであることを特徴とする請求項１記載の植物種子ペレットの製造方法。
【請求項３】
請求項１記載の方法により製造された植物種子ペレット。
【請求項４】
請求項１記載の方法により製造された植物種子ペレットを播種して発芽させることを特徴とする植物種子ペレットを利用した植物栽培方法。
【請求項５】
前記播種は、土壌表面に、覆土処理せずに行われることを特徴とする請求項４記載の植物種子ペレットを利用した植物栽培方法。
【発明の詳細な説明】
【技術分野】
【０００１】
本発明は植物種子ペレットとその製造方法、およびそれを利用した植物栽培方法に関し、より詳細には、ピートモスを利用して、植物種子が挿入され得る大きさと形態に製造して乾燥した後に、植物種子を挿入する植物種子ペレットの製造方法と、これにより製造された植物種子ペレットおよび植物種子ペレットを土壌表面に播種して栽培する植物栽培方法に関する。
【背景技術】
【０００２】
植物種子の播種と栽培は、多段階の研究を経て発展をとげてきたが、未だ解決されていない問題点がある。植物の栽培は、播種・育苗・施肥・病虫害駆除などの諸段階で構成されており、多くの労動力・費用および時間を必要とするだけでなく、種子の処理時には科学的で経験的な知識を要する。
【０００３】
本発明の技術分野で頻繁に用いられるピートモスは、寒冷地域の湿地や沼地帯の葦類などが長い年月の間、積まれて腐蝕させられた有機物であって、水分吸収力が乾燥時に比べて15倍程高く、通気性が優れており、重量が軽く、肥料の施肥に化学的反応などの副作用がないため、以前から種子の播種・幼苗生産・栽培において一般的に用いられている。
【０００４】
一方、本発明の技術分野において、ペレットというのは、植物種子の発芽と生育促進のために、植物種子の表面に、養分などを混合した物質を被覆して製造したものをいう。ペレットの製造は、微細種子の機械化作業のための大粒化・発芽促進、および幼苗時に害虫・菌からの保護を目的とする。
【０００５】
従来の植物種子ペレットの製造方法は、一般的に接着剤を利用して、処理物質を種子表面に数重にかコーティングする方法に過ぎない。このような方法による植物種子のペレットは効果的ではなく、ペレット製造材料が土壌の役割をすることができないため、播種後に覆土しなくてはならないという経済的問題と煩わしさがあった。
【０００６】
また、ピートモスをペレット製造材料として利用する場合にはピートモスが土壌の役割をすることができるので、覆土に要する労働力と時間を節減することができる。しかし、植物種子ペレットの製造過程で水分が添加され、種子内に吸収されると、吸収された水分により胚と胚乳が膨張し種皮が破裂して発芽してしまう。このような生理的活性化がなされた後、貯蔵過程で乾燥すると種子は生理的障害を起こして播種時の発芽に影響が与えられ、発芽率が低下する。従って、ピートモスを利用したペレットの製造過程では水分の除去が技術的課題である。
【０００７】
従来より、このような問題点を解決するために、ペレット製造時に泥土・燐酸岩粉末・石灰岩粉末・水溶性アラビアゴムなどの材料を、接着剤を利用して、数重の層に被覆（塗布）して乾燥する方法を用いていた。しかし、生育に必要な肥料・成長調節剤・殺菌剤・殺虫剤・生物学的薬剤の混用が円滑でないため、全ての種子に利用することができず、特に球根植物には利用され得なかった。
【発明の開示】
【０００８】
本発明は、前述したペレットの水分除去の問題点を解決するために、ピートモスと成長調節剤などを利用して、圧着・成型し、これを乾燥した後に、挿入口を穿孔し、植物種子を挿入し、密閉して、植物種子ペレットを製造した。従って、本発明の目的は植物種子ペレットの製造方法を提供することである。本発明の別の目的は前記の方法を利用して製造された植物種子ペレットを提供することである。本発明のまた別の目的は前記植物種子ペレットを利用する植物栽培方法を提供することである。
【０００９】
（発明の開示）
本発明の前記目的は、ピートモスに様々な添加物を加え、植物種子ペレットを製造し、様々な播種方法により播種した後、植物種子の発芽率、播種後の日数別の発芽数、生育状態を観察し、本発明の植物種子ペレットの優れた効果を確認することにより達成された。
【００１０】
本発明の植物種子ペレットの製造方法は、ピートモスに肥料・成長調節剤・殺菌剤・殺虫剤のうちから選ばれたいずれか一つ以上を添加し、水溶性接着剤を添加して混合する段階；該混合物を種子が挿入され得る大きさや形態に圧着して成型製造する段階；該製造された圧着成型物を乾燥する段階；該乾燥物に植物種子の挿入口を穿孔し、植物種子を挿入した後に、挿入口を圧着・密封して製造する段階で構成される。
【００１１】
以下、本発明の植物種子ペレットの製造方法を工程別に詳細に説明する。
１）第１工程
ピートモスに、肥料・成長調節剤・殺菌剤・殺虫剤など種子発芽と生育に必要な要素を、必要に応じて、一つ以上を選択して添加した後、水溶性接着剤を添加して混合する。本発明の工程では、肥料は窒素成分(N)、燐酸成分(P)、カリ成分(K)を用いる。成長調節剤は植物成長ホルモンなどを言い、代表的にはGA（ジベレリン（Giberellin））、NAA（ナフチル酢酸（Naphthalene acetic acid））がある。水溶性接着剤は植物性接着剤（澱粉糊）が望ましいが、アクリル接着剤も用いることができる。本工程でピートモスは混合材料により水分吸収が可能になり、水分吸収状態になれば圧着が可能である。
２）第２工程
前記第１工程で製造された混合物を、種子が挿入され得る大きさと形態に圧着して成型製造する。ペレットの大きさと形態は種子の大きさと形態によって変更し得る。前記第１工程のおいて、水分吸収状態のピートモスと水溶性接着剤により圧着成型が可能である。図１１にはペレットの製造過程を示した。
３）第３工程
前記第２工程で製造された圧着成型物を25〜80℃で乾燥する。この際、圧着成型物の水分含量は15〜25重量％が望ましい。本発明の工程での乾燥は、大量生産のために熱風乾燥方式が望ましいが、自然乾燥をしてもよい。本工程で乾燥した後、以下の段階で植物の種子を挿入することにより、ピートモスに吸収されている水分で種子が発芽するのを防止し、前述の問題点の発生を防止することができる。
４）第４工程
前記第３工程で製造された乾燥物に、ドリルにより植物種子の大きさに適合する種子の挿入口を穿孔し、植物種子を挿入した後、挿入口をピートモスまたは前記第１工程の混合物で圧着し密封する。本発明の工程ではドリルにより種子の挿入口を穿孔したが、その他、大量生産のために作製された機械装置を用いて穿孔することができる。
【００１２】
本発明による植物種子ペレットの製造方法では、ピートモスに各種の肥料・成長調節剤・殺菌剤・殺虫剤の混合時に化学的反応がなく、大きさと形態などの成型が自由であり、製造過程が簡便であるだけでなく、本発明の植物種子ペレットは水分による種子の生理的反応が無い。また、本発明の植物種子ペレットを播種して水分を吸収すると、乾燥時より3〜4倍ほど体積が増加し、ピートモスが土壌の役割をするため、土壌表面上に播種が可能であり、よって大規模耕作時に利用可能である。それだけでなく、従来ではペレット製造の試みがなされたことがない球根植物にも利用が可能である。
【００１３】
【表１】
2006503576.tif 000003
【００１４】
以下、本発明の具体的な方法を、実施例と実験例を挙げて詳細に説明するが、本発明の権利範囲はこれらに限定されるものではない。
【００１５】
（図面の簡単な説明）
図１ａは、金盞花の種子のペレット製造処理方法と播種方法の差異（実施例１〜８）による１次実験の発芽率を示したグラフである。
図１ｂは、金盞花の種子のペレット製造処理方法と播種方法の差異（実施例１〜８）による２次実験の発芽率を示したグラフである。
図２ａは、サルビアの種子のペレット製造処理方法と播種方法の差異（実施例１〜８）による１次実験の発芽率を示したグラフである。
図２ｂは、サルビアの種子のペレット製造処理方法と播種方法の差異（実施例１〜８）による２次実験の発芽率を示したグラフである。
図３は、豆の種子のペレット製造処理方法と播種方法の差異（実施例１〜８）による発芽率を示したグラフである。
図４ａは、無処理の金盞花種子の、播種方法による播種後の発芽個体数の変化を示した１次実験のグラフである。
図４ｂは、肥料処理だけされた金盞花種子の、播種方法による播種後の発芽個体数の変化を示した１次実験のグラフである。
図４ｃは、肥料とGAとで処理された金盞花種子の、播種方法による播種後の発芽個体数の変化を示した１次実験のグラフである。
図４ｄは、肥料とNAAとで処理された金盞花種子の、播種方法による播種後の発芽個体数の変化を示した１次実験のグラフである。
図５ａは、無処理の金盞花種子の、播種方法による播種後の発芽個体数の変化を示した２次実験のグラフである。
図５ｂは、肥料処理だけされた金盞花種子の、播種方法による播種後の発芽個体数の変化を示した２次実験のグラフである。
図５ｃは、肥料とGAとで処理された金盞花種子の、播種方法による播種後の発芽個体数の変化を示した２次実験のグラフである。
図５ｄは、肥料とNAAとで処理された金盞花種子の、播種方法による播種後の発芽個体数の変化を示した２次実験のグラフである。
図６ａは、無処理のサルビア種子の、播種方法による播種後の発芽個体数の変化を示した１次実験のグラフである。
図６ｂは、肥料処理だけされたサルビア種子の、播種方法による播種後の発芽個体数の変化を示した１次実験のグラフである。
図６ｃは、肥料とGAとで処理されたサルビア種子の、播種方法による播種後の発芽個体数の変化を示した１次実験のグラフである。
図６ｄは、肥料とNNAとで処理されたサルビア種子の、播種方法による播種後の発芽個体数の変化を示した１次実験のグラフである。
図７ａは、無処理のサルビア種子の、播種方法による播種後の発芽個体数の変化を示した２次実験のグラフである。
図７ｂは、肥料処理されたサルビア種子の、播種方法による播種後の発芽個体数の変化を示した２次実験のグラフである。
図７ｃは、肥料とGAとで処理されたサルビア種子の、播種方法による播種後の発芽個体数の変化を示した２次実験のグラフである。
図７ｄは、肥料とNAAとで処理されたサルビア種子の、播種方法による播種後の発芽個体数の変化を示した２次実験のグラフである。
図８ａは、無処理の豆種子の、播種方法による播種後の発芽個体数の変化を示した実験のグラフである。
図８ｂは、肥料処理された豆種子の、播種方法による播種後の発芽個体数の変化を示した実験のグラフである。
図８ｃは、肥料とGAとで処理された豆種子の、播種方法による播種後の発芽個体数の変化を示した実験のグラフである。
図８ｄは、肥料とNAAとで処理された豆種子の、播種方法による播種後の発芽個体数の変化を示した実験のグラフである。
図９は、植物種子と球根とのペレット製造過程を比較した写真である。
図１０は、植物種子のペレット製造過程を示した写真である。
図１１は、本発明の植物種子ペレットの播種状態を撮影した写真である。
図１２ａは、実施例１〜８により製造した金盞花種子ペレットの播種後２ヶ月経過時に行った１次実験の生育状態を撮影した写真である。
図１２ｂは、実施例１〜８により製造した金盞花種子ペレットの播種後２ヶ月経過時に行った２次実験の生育状態を撮影した写真である。
図１３ａは、実施例１〜８により製造したサルビア種子ペレットの播種後２ヶ月経過時に行った１次実験の生育状態を撮影した写真である。
図１３ｂは、実施例１〜８により製造したサルビア種子ペレットの播種後２ヶ月経過時に行った２次実験の生育状態を撮影した写真である。
図１４は、実施例１〜８により製造した豆種子ペレットの播種後２ヶ月経過時に行った１次実験の生育状態を撮影した写真である。
【発明を実施するための最良の形態】
【００１６】
ピートモス・肥料・成長調節剤を利用して製造したペレット製造の効果を比較分析するために、金盞花（Calendula officinalis cv. Gold star）、サルビア（Salvia splendens cv. Hot jazz）と豆（Glycine max cv. Whanggeum）の種子について、前述したペレットの製造方法でペレットを製造し、発芽率・播種後の日数別の発芽数・梢長・葉長などの種々の生育状態を調査した後、これを統計処理して分析した。
【００１７】
本実験の実施は、2002年4月から6月まで１次実験を、5月から7月まで２次実験を行った。金盞花とサルビアの種子に対しては１次実験と２次実験を行い、豆の種子に対しては１次実験だけを行った。播種は直四角形のプラスチック挿木箱に磨砂土を利用して行い、中間の施肥は全く行わずに、必要時に潅水だけを行った。各々の種子を100粒ずつ３回繰り返して行った。
また、製造されたペレットの植栽は、土壌表面上に播種して土壌で覆わない土壌表面播種と、土壌表面上の播種後に土壌で覆う土壌内播種の二つを行った。
ペレットの形態は種子の大きさと形態によって異なるが、以下の実施例で製造されるペレットは実験の便宜のために球形に製造した。ペレット製造処理と植栽方法は下記実施例の通りに行った。
【００１８】
実施例１
金盞花・サルビア・豆の種子をペレット製造処理せずに土壌表面播種方法により植栽した。
【００１９】
実施例２
ピートモスに肥料成分の窒素(N)300mg／L、燐酸(P)200mg／L、カリ(K)400mg／Lを添加し、pH5.8に調節した後、水溶性接着剤を添加・混合して成型し、金盞花・サルビア・豆の種子を挿入し、球形に圧着してペレットを製造して土壌表面播種方法により植栽した。
【００２０】
実施例３
ピートモスに肥料成分の窒素(N)300mg／L、燐酸(P)200mg／L、カリ(K)400mg／Lとジベレリン(GA)300ppmを添加し、pH5.8に調節した後、水溶性接着剤を添加・混合して成型し、金盞花・サルビア・豆の種子を挿入し、球形に圧着してペレットを製造して土壌表面播種方法により植栽した。
【００２１】
実施例４
ピートモスに肥料成分の窒素(N)300mg／L、燐酸(P)200mg／L、カリ(K)400mg／Lとナフチル酢酸(NAA)300ppmを添加し、pH5.8に調節した後、水溶性接着剤を添加・混合し成型して、金盞花・サルビア・豆の種子を挿入し、球形に圧着してペレットを製造して土壌表面播種方法により植栽した。
【００２２】
実施例５
金盞花・サルビア・豆の種子をペレット製造処理せずに土壌内播種方法により植栽した。
【００２３】
実施例６
ピートモスに肥料成分の窒素(N)300mg／L、燐酸(P)200mg／L、カリ(K)400mg／Lを添加し、pH5.8に調節した後、水溶性接着剤を添加・混合し成型して、金盞花・サルビア・豆の種子を挿入し、球形に圧着してペレットを製造して土壌内播種方法により植栽した。
【００２４】
実施例７
ピートモスに肥料成分の窒素(N)300mg／L、燐酸(P)200mg／L、カリ(K)400mg／Lとジベレリン(GA)300ppmを添加し、pH5.8に調節した後、水溶性接着剤を添加・混合し成型して、金盞花・サルビア・豆の種子を挿入し、球形に圧着してペレットを製造して土壌内播種方法により植栽した。
【００２５】
実施例８
ピートモスに肥料成分の窒素(N)300mg／L、燐酸(P)200mg／L、カリ(K)400mg／Lとナフチル酢酸(NAA)300ppmを添加し、pH5.8に調節した後、水溶性接着剤を添加・混合し成型して、金盞花・サルビア・豆の種子を挿入し、球形に圧着してペレットを製造して土壌内播種方法により植栽した。
【００２６】
【表２】
2006503576.tif 000004
【００２７】
【表３】
2006503576.tif 000005
【００２８】
【表４】
2006503576.tif 000006
【００２９】
【表５】
2006503576.tif 000007
【００３０】
本発明の植物種子ペレットの効果は次の通りである。
金盞花・サルビア・豆の種子のペレット製造処理区は無処理区に比べて葉数・葉長・葉幅・梢長・根長など全ての生育において、良い結果を示した（表３，４，５）。
ペレット製造処理区の発芽率は無処理区と同様の結果を示したが（図１ａ，１ｂ，２ａ，２ｂ，３）、無処理区に比べてペレット製造処理区のピートモスに混合されている肥料成分により、発芽後に優れた生育状態を示し、金盞花の場合、葉数と梢長において2倍以上の効果を示した（表３）。特に、豆の場合、その差異が一層大きく、葉長は4倍、梢長は9倍程の差異を示した（表５）。これはピートモスが軽く通気性が優れているため、発芽に必要な酸素供給が円滑になり、潅水や降雨時には水分の吸収能力が全体の体積の60％以上になり、種子に充分な水分供給がなされ、混合された肥料の吸収により養分供給が円滑になされた結果であると判断される。
【００３１】
播種方法による本発明の植物種子ペレットの生育を比較して見れば、金盞花・サルビアの種子のペレットは土壌表面播種処理区（実施例１〜４）が土壌内播種処理区（実施例５〜８）に比べてほとんど全ての生育において優れており（表３，４，５）、豆の種子の場合、播種方法の間では同様の生育状態を示しているが、これは豆の根にある根瘤バクテリアの窒素成分供給の影響であると判断される（表５）。土壌表面播種処理において発芽率が高く（図１，２，３）、発芽日が早いという特徴を示した（図５，６，７，８）。これは土壌表面播種処理された植物種子ペレットがピートモスに囲まれているため、土壌の役割を充分に代替し、土壌内で発芽する状態と同一となって正常な発芽が可能となったと考えられる。
【００３２】
種子に処理された成長調節剤による本発明の植物種子ペレットの生育率を比較して見れば、金盞花とサルビアの種子のペレットは、GA処理区がNAA処理区に比べて全ての生育において極めて優れた結果を示した（表３，４）。豆の種子のペレットは、土壌表面播種では、GA処理区がNAA処理区に比べて梢長が5倍ほど長く、GAの生理的特性がそのまま現れており、土壌内播種では、一部NAA処理区が良い結果を示したが、これは根瘤バクテリアの影響であると判断される（表５）。発芽数においても金盞花とサルビアの種子のペレットは、GA処理区がNAA処理区に比べて極めて良い結果を示したが（図１，２）、豆の種子のペレットはGA処理区とNAA処理区では土壌内播種において同様であった（図３）。豆の種子のペレットは、発芽日においても、発芽数の場合と同様の傾向を示しており（図１，２，３）、GA処理区は特に初期成育において良い結果を示した。これは9xGAが種子の休眠打破、発芽、茎成長、開花などの促進効果を誘発し、NAAは発根作用を誘発する役割をそのまま示している。
【００３３】
前記実施例では、肥料を添加したペレットと肥料とGAを添加した処理区で、極めて優れた生育状態を示しているが、これはペレットに混合された肥料成分とGAの供給の結果と考えられる。本発明の植物種子ペレットの播種方法は、土壌表面播種において優れた生育状態を示しており、豆の種子ペレットの場合、土壌内播種において良い結果を見せた。
【００３４】
以上の結果をまとめると、本発明の方法であるペレット製造処理区が無処理区に比べて全ての生育・発芽率・植栽後の発芽日などにおいて優れており、播種方法においては土壌表面播種、成長調節剤処理においてはGA処理区で優れた結果を示しており、本発明の有益さを立証した。
【産業上の利用可能性】
【００３５】
以上説明した通り、本発明のピートモスと肥料、成長調節剤などを混合して乾燥した後、植物種子を挿入して製造する植物種子ペレットの製造方法は、製造過程で化学的反応の問題が全く存在せず、前記方法により製造された植物種子ペレットは、ペレット内の水分が除去されて種子の生理的反応を防止することにより、種子の発芽後の生育が著しく優れており、球根植物にも利用可能であるだけでなく、播種後に覆土処理が無くても発芽率が高く、大規模航空播種造林が可能であるという優れた効果があり、農業やその他の園芸産業上、優れた発明と考えられる。
【図面の簡単な説明】
【００３６】
【図１ａ】金盞花の種子のペレット製造処理方法と播種方法の差異（実施例１〜８）による１次実験の発芽率を示したグラフである。
【図１ｂ】金盞花の種子のペレット製造処理方法と播種方法の差異（実施例１〜８）による２次実験の発芽率を示したグラフである。
【図２ａ】サルビアの種子のペレット製造処理方法と播種方法の差異（実施例１〜８）による１次実験の発芽率を示したグラフである。
【図２ｂ】サルビアの種子のペレット製造処理方法と播種方法の差異（実施例１〜８）による２次実験の発芽率を示したグラフである。
【図３】豆の種子のペレット製造処理方法と播種方法の差異（実施例１〜８）による発芽率を示したグラフである。
【図４ａ】無処理の金盞花種子の、播種方法による播種後の発芽個体数の変化を示した１次実験のグラフである。
【図４ｂ】肥料処理だけされた金盞花種子の、播種方法による播種後の発芽個体数の変化を示した１次実験のグラフである。
【図４ｃ】肥料とGAとで処理された金盞花種子の、播種方法による播種後の発芽個体数の変化を示した１次実験のグラフである。
【図４ｄ】肥料とNAAとで処理された金盞花種子の、播種方法による播種後の発芽個体数の変化を示した１次実験のグラフである。
【図５ａ】無処理の金盞花種子の、播種方法による播種後の発芽個体数の変化を示した２次実験のグラフである。
【図５ｂ】肥料処理だけされた金盞花種子の、播種方法による播種後の発芽個体数の変化を示した２次実験のグラフである。
【図５ｃ】肥料とGAとで処理された金盞花種子の、播種方法による播種後の発芽個体数の変化を示した２次実験のグラフである。
【図５ｄ】肥料とNAAとで処理された金盞花種子の、播種方法による播種後の発芽個体数の変化を示した２次実験のグラフである。
【図６ａ】無処理のサルビア種子の、播種方法による播種後の発芽個体数の変化を示した１次実験のグラフである。
【図６ｂ】肥料処理だけされたサルビア種子の、播種方法による播種後の発芽個体数の変化を示した１次実験のグラフである。
【図６ｃ】肥料とGAとで処理されたサルビア種子の、播種方法による播種後の発芽個体数の変化を示した１次実験のグラフである。
【図６ｄ】肥料とNNAとで処理されたサルビア種子の、播種方法による播種後の発芽個体数の変化を示した１次実験のグラフである。
【図７ａ】無処理のサルビア種子の、播種方法による播種後の発芽個体数の変化を示した２次実験のグラフである。
【図７ｂ】肥料処理されたサルビア種子の、播種方法による播種後の発芽個体数の変化を示した２次実験のグラフである。
【図７ｃ】肥料とGAとで処理されたサルビア種子の、播種方法による播種後の発芽個体数の変化を示した２次実験のグラフである。
【図７ｄ】肥料とNAAとで処理されたサルビア種子の、播種方法による播種後の発芽個体数の変化を示した２次実験のグラフである。
【図８ａ】無処理の豆種子の、播種方法による播種後の発芽個体数の変化を示した実験のグラフである。
【図８ｂ】肥料処理された豆種子の、播種方法による播種後の発芽個体数の変化を示した実験のグラフである。
【図８ｃ】肥料とGAとで処理された豆種子の、播種方法による播種後の発芽個体数の変化を示した実験のグラフである。
【図８ｄ】肥料とNAAとで処理された豆種子の、播種方法による播種後の発芽個体数の変化を示した実験のグラフである。
【図９】植物種子と球根とのペレット製造過程を比較した写真である。
【図１０】植物種子のペレット製造過程を示した写真である。
【図１１】本発明の植物種子ペレットの播種状態を撮影した写真である。
【図１２ａ】実施例１〜８により製造した金盞花種子ペレットの播種後２ヶ月経過時に行った１次実験の生育状態を撮影した写真である。
【図１２ｂ】実施例１〜８により製造した金盞花種子ペレットの播種後２ヶ月経過時に行った２次実験の生育状態を撮影した写真である。
【図１３ａ】実施例１〜８により製造したサルビア種子ペレットの播種後２ヶ月経過時に行った１次実験の生育状態を撮影した写真である。
【図１３ｂ】実施例１〜８により製造したサルビア種子ペレットの播種後２ヶ月経過時に行った２次実験の生育状態を撮影した写真である。
【図１４】実施例１〜８により製造した豆種子ペレットの播種後２ヶ月経過時に行った１次実験の生育状態を撮影した写真である。
【図１ａ】
2006503576.tif 000008
【図１ｂ】
2006503576.tif 000009
【図２ａ】
2006503576.tif 000010
【図２ｂ】
2006503576.tif 000011
【図３】
2006503576.tif 000012
【図４ａ】
2006503576.tif 000013
【図４ｂ】
2006503576.tif 000014
【図４ｃ】
2006503576.tif 000015
【図４ｄ】
2006503576.tif 000016
【図５ａ】
2006503576.tif 000017
【図５ｂ】
2006503576.tif 000018
【図５ｃ】
2006503576.tif 000019
【図５ｄ】
2006503576.tif 000020
【図６ａ】
2006503576.tif 000021
【図６ｂ】
2006503576.tif 000022
【図６ｃ】
2006503576.tif 000023
【図６ｄ】
2006503576.tif 000024
【図７ａ】
2006503576.tif 000025
【図７ｂ】
2006503576.tif 000026
【図７ｃ】
2006503576.tif 000027
【図７ｄ】
2006503576.tif 000028
【図８ａ】
2006503576.tif 000029
【図８ｂ】
2006503576.tif 000030
【図８ｃ】
2006503576.tif 000031
【図８ｄ】
2006503576.tif 000032
【図９】
2006503576.tif 000033
【図１０】
2006503576.tif 000034
【図１１】
2006503576.tif 000035
【図１２ａ】
2006503576.tif 000036
【図１２ｂ】
2006503576.tif 000037
【図１３ａ】
2006503576.tif 000038
【図１３ｂ】
2006503576.tif 000039
【図１４】
2006503576.tif 000040
【手続補正書】
【提出日】平成17年9月21日(2005.9.21)
【手続補正１】
【補正対象書類名】明細書
【補正対象項目名】００３２
【補正方法】変更
【補正の内容】
【００３２】
種子に処理された成長調節剤による本発明の植物種子ペレットの生育率を比較して見れば、金盞花とサルビアの種子のペレットは、GA処理区がNAA処理区に比べて全ての生育において極めて優れた結果を示した（表３，４）。豆の種子のペレットは、土壌表面播種では、GA処理区がNAA処理区に比べて梢長が5倍ほど長く、GAの生理的特性がそのまま現れており、土壌内播種では、一部NAA処理区が良い結果を示したが、これは根瘤バクテリアの影響であると判断される（表５）。発芽数においても金盞花とサルビアの種子のペレットは、GA処理区がNAA処理区に比べて極めて良い結果を示したが（図１，２）、豆の種子のペレットはGA処理区とNAA処理区では土壌内播種において同様であった（図３）。豆の種子のペレットは、発芽日においても、発芽数の場合と同様の傾向を示しており（図４，５，６，７，８）、GA処理区は特に初期成育において良い結果を示した。これは9xGAが種子の休眠打破、発芽、茎成長、開花などの促進効果を誘発し、NAAは発根作用を誘発する役割をそのまま示している。
【国際調査報告】
2006503576.tif 000041
2006503576.tif 000042
2006503576.tif 000043